【手続補正書】
【提出日】平成22年6月25日(2010.6.25)
【手続補正１】
【補正対象書類名】特許請求の範囲
【補正対象項目名】全文
【補正方法】変更
【補正の内容】
【特許請求の範囲】
【請求項１】
公衆電話網（ＰＳＴＮ）を通じて外部から入力される第１ファックスデータを受信するためのＰＳＴＮインターフェース部と、
前記ＰＳＴＮインターフェース部から出力された前記第１ファックスデータを保存するための保存装置と、
前記保存装置から出力された前記第１ファックスデータをインターネットを通じてファックスサーバに伝送するためのネットワークインターフェース部と、
前記ＰＳＴＮインターフェース部、前記保存装置、及び前記ネットワークインターフェース部のファックスデータ伝送を制御するための制御部と、
前記制御部の制御下にファックス装置から出力される第２ファックスデータを受信するためのファックスインターフェース部と、を備え、
前記保存装置は、前記ファックスインターフェース部から出力された前記第２ファックスデータを保存し、
前記ネットワークインターフェース部は、前記保存装置から出力された前記第２ファックスデータを前記インターネットを通じて前記ファックスサーバに伝送し、
前記制御部は、前記ファックスサーバから出力されて前記ネットワークインターフェース部を通じて入力された伝送承認信号に応答して、前記保存装置に保存された前記第２ファックスデータを前記ＰＳＴＮインターフェース部を通じて前記ＰＳＴＮに伝送するように制御することを特徴とする、ファックスデータ伝送制御器。
【請求項２】
前記ファックスデータ伝送制御器は、
前記保存装置に保存された前記第１ファックスデータを第１ユーザコンピュータに伝送するためのコンピュータインターフェース部と、
前記制御部から出力される状態表示信号を受信して、前記ファックスデータ伝送制御器の作動状態を表示するための状態表示部と
をさらに備えることを特徴とする、請求項１に記載のファックスデータ伝送制御器。
【請求項３】
前記ファックスデータ伝送制御器は、
前記ファックスデータ伝送制御器に外装保存装置を接続するための連結部と、
外部から前記ファックスデータ伝送制御器の環境設定のためのデータを受信し、該受信されたデータを前記制御部に出力するための入力部と
をさらに備えることを特徴とする、請求項１に記載のファックスデータ伝送制御器。
【請求項４】
インターネットを通じて外部から受信される第１ファックスデータを送受信するための送受信モジュールと、
前記送受信モジュールから出力された前記第１ファックスデータを保存するための保存モジュールと、
前記保存モジュールから出力された前記第１ファックスデータを受信し、該受信された前記第１ファックスデータに含まれた発信者番号に基づいて、前記第１ファックスデータに対する受信拒否信号または受信許容信号を前記保存モジュールに出力するためのフィルタリングモジュールと、
前記第２ユーザコンピュータから外部に伝送する第２ファックスデータを受信し、該受信した第２ファックスデータの内容の認証のために前記第２ファックスデータを承認権者コンピュータと前記保存モジュールとに伝送するための認証モジュールと、を備え、
前記保存モジュールが、前記第１ファックスデータに対する前記受信許容信号を受信した場合、前記保存モジュールは、前記送受信モジュールを通じて前記保存モジュールに保存された前記第１ファックスデータを第２ユーザコンピュータから出力されたファックス要請信号に応答して、前記第２ユーザコンピュータに伝送し、
前記認証モジュールは、前記承認権者コンピュータから認証信号を受信して前記認証信号を前記保存モジュールに伝送し、
前記フィルタリングモジュールは、前記保存モジュールから出力された前記第２ファックスデータを受信し、該受信された前記第２ファックスデータに含まれた受信者番号に基づいて、前記第２ファックスデータに対する発信拒否信号または発信許容信号を前記保存モジュールに出力し、
前記保存モジュールが、前記第２ファックスデータに対する前記認証信号及び発信許容信号を受信した場合、前記保存モジュールは、前記送受信モジュールを通じて前記保存モジュールに保存された前記第２ファックスデータをインターネットを通じて外部に伝送することを特徴とする、ファックスサーバ。
【請求項５】
前記フィルタリングモジュールは、
前記受信拒否信号または前記受信許容信号を出力するために受信拒否ファックス番号または受信許容ファックス番号を保存するためのファックス番号保存部を備え、
前記ファックス番号保存部は、
承認権者コンピュータから前記受信拒否ファックス番号または受信許容ファックス番号を受信することを特徴とする、請求項４に記載のファックスサーバ。
【請求項６】
ファックスデータ伝送制御器が、ファックス装置から出力される送信ファックスデータを受信する段階と、
前記ファックスデータ伝送制御器が、受信された前記送信ファックスデータを保存する段階と、
前記ファックスデータ伝送制御器が、前記送信ファックスデータをインターネットを通じて前記ファックスサーバに伝送する段階と、
前記ファックスデータ伝送制御器が、前記ファックスサーバから前記送信ファックスデータの伝送承認信号を受信する段階と、
前記ファックスデータ伝送制御器が、受信された前記伝送承認信号に応答して、保存された前記送信ファックスデータをＰＳＴＮを通じて外部に伝送する段階と
を備えることを特徴とする、ファックスシステムの提供方法。
【請求項７】
前記ファックスデータ伝送制御器が、前記ファックスサーバから前記送信ファックスデータの伝送承認信号を受信する段階は、
前記ファックスサーバが、保存された送信ファックスデータの内容の認証のために前記送信ファックスデータを承認権者コンピュータに伝送する段階と、
前記ファックスサーバが、前記承認権者コンピュータから認証信号を受信する段階と
をさらに備え、前記ファックスサーバは、前記送信ファックスデータに対する内容の認証及び発信許容された場合、前記ファックスデータ伝送制御器に伝送承認信号を伝送することを特徴とする、請求項６に記載のファックスシステムの提供方法。
【請求項８】
ファックスデータ伝送制御器が、第１ユーザコンピュータから出力される送信ファックスデータを受信する段階と、
前記ファックスデータ伝送制御器が、受信された前記送信ファックスデータを保存する段階と、
前記ファックスデータ伝送制御器が、前記送信ファックスデータをインターネットを通じて前記ファックスサーバに伝送する段階と、
前記ファックスデータ伝送制御器が、前記ファックスサーバから前記送信ファックスデータの伝送承認信号を受信する段階と、
前記ファックスデータ伝送制御器が、受信された前記伝送承認信号に応答して、保存された前記送信ファックスデータをＰＳＴＮを通じて外部に伝送する段階と
を備えることを特徴とする、ファックスシステムの提供方法。
【請求項９】
ファックスサーバが、第２ユーザコンピュータから外部に伝送する送信ファックスデータを受信する段階と、
前記ファックスサーバが、受信された前記送信ファックスデータを保存する段階と、
前記ファックスサーバが、保存された前記送信ファックスデータの内容の認証のために前記送信ファックスデータを承認権者コンピュータに伝送する段階と、
前記ファックスサーバが、前記承認権者コンピュータから認証信号を受信する段階と、
前記ファックスサーバが、内容の認証された前記送信ファックスデータをインターネットを通じてファックスデータ伝送制御器に伝送する段階と
を備えることを特徴とする、ファックスシステムの提供方法。
【請求項１０】
前記ファックスシステムの提供方法は、
前記ファックスサーバが、保存された前記送信ファックスデータに含まれた受信者番号に基づいて、前記送信ファックスデータに対する発信拒否または発信許容有無を決定する段階をさらに備え、
前記ファックスサーバは、発信許容及び内容の認証された前記送信ファックスデータを前記インターネットを通じて前記ファックスデータ伝送制御器に伝送することを特徴とする、請求項９に記載のファックスシステムの提供方法。
【請求項１１】
前記ファックスシステムの提供方法は、
前記ファックスデータ伝送制御器が、前記ファックスサーバから受信した前記送信ファックスデータをＰＳＴＮを通じて外部に伝送する段階をさらに備えることを特徴とする、請求項１０に記載のファックスシステムの提供方法。
【請求項１２】
請求項６ないし請求項１１のうち何れか一項に記載の方法を行うためのプログラムを記録した記録媒体。